(57)【要約】【課題】  コンテンツ再生装置において、ネットワークを介して接続されたコンテンツサーバを再生している最中に他のコンテンツソースに切り換えられた後に、再度コンテンツサーバの再生に切り換えられた時に再生するコンテンツをユーザにより選択できるようにすることである。【解決手段】  コンテンツ再生装置２５は、ネットワークを介してコンテンツサーバ２６が接続されており、コンテンツサーバ２６のコンテンツを再生することができる。そして、コンテンツサーバ２６の再生を行っている最中に、再生を行うコンテンツソースをコンテンツサーバ２６からＤＶＤ等の他のコンテンツソースに切り換える操作が行われると、コンテンツサーバ２６の再生を停止するとともに、モニタ画面に再生可能なコンテンツの一覧を表示するリスト表示を行う。後にコンテンツサーバ２６による再生に再度切り換えられると、リスト表示に基づきユーザにより選択されたコンテンツが直ちに再生される。【選択図】  図１
2006065975.tif 000002
【特許請求の範囲】
【請求項１】
ネットワークを介して接続されたコンテンツサーバのコンテンツの再生を行うコンテンツ再生装置であって、
コンテンツソースを前記コンテンツサーバと他のコンテンツソース間で選択する操作入力を行うための操作手段と、
前記コンテンツサーバ又は他のコンテンツソースのコンテンツが再生されて出力されるモニタ出力手段と、
前記モニタ出力手段にコンテンツを出力するためのコンテンツデータの入力を前記コンテンツサーバと前記他のコンテンツソースとで切り換える入力切り換え手段と、
前記操作手段による操作入力に基づき、前記入力切り換え手段による切り換えを制御し、前記コンテンツサーバ又は他のコンテンツソースによるコンテンツの再生を制御する制御手段と、
前記コンテンツサーバ内の再生可能なコンテンツの一覧の表示であるリスト表示を前記モニタ出力手段に出力するリスト表示手段と、を備え、
前記制御手段は、前記コンテンツサーバのコンテンツの再生が行われている状態で他のコンテンツソースを選択する操作入力を検出すると、再生していたコンテンツの種類に応じた方式によりコンテンツサーバの再生を停止させるとともに、後に前記コンテンツサーバの再生に切り換えた場合に再生を行うコンテンツを選択するためのリスト表示を前記モニタ出力手段に出力させることを特徴とする、コンテンツ再生装置。
【請求項２】
前記コンテンツサーバが再生するコンテンツが音楽であり、前記制御手段は、前記コンテンツサーバにより音楽が再生されている状態で他のコンテンツソースを選択する操作入力を検出すると、前記コンテンツサーバによる音楽の再生を停止させるとともに、前記リスト表示として再生可能な音楽ファイルの一覧を出力することを特徴とする請求項１に記載コンテンツ再生装置。
【請求項３】
前記コンテンツサーバが再生するコンテンツが動画像であり、前記制御手段は、前記コンテンツサーバにより動画像が再生されている状態で他のコンテンツソースを選択する操作入力を検出すると、前記コンテンツサーバによる動画像の再生をポーズ状態とするとともに、前記リスト表示として再生可能な動画像ファイルの一覧を出力することを特徴とする請求項１に記載コンテンツ再生装置。
【請求項４】
ネットワークを介して接続されたコンテンツサーバの動画像コンテンツの再生を行うコンテンツ再生装置であって、
コンテンツソースを前記コンテンツサーバと他のコンテンツソース間で選択する操作入力を入力するための操作手段と、
前記コンテンツサーバ又は他のコンテンツソースのコンテンツが再生されて出力されるモニタ出力手段と、
前記モニタ出力手段にコンテンツを出力するためのコンテンツデータの入力を前記コンテンツサーバと前記他のコンテンツソースとで切り換える入力切り換え手段と、
前記操作手段による操作入力に基づき、前記入力切り換え手段による切り換えを制御し、前記コンテンツサーバ又は他のコンテンツソースによるコンテンツの再生を制御する制御手段と、
前記コンテンツサーバによる再生可能なコンテンツの一覧の表示であるリスト表示を前記モニタ出力手段に出力するリスト表示手段と、を備え、
前記制御手段は、前記コンテンツサーバの動画像コンテンツの再生が行われている状態で他のコンテンツソースを選択する操作入力を検出すると、コンテンツサーバによる動画像の再生をポーズ状態とするとともに、後に前記コンテンツサーバが選択された場合に前記リスト表示を前記モニタ出力手段に出力することを特徴とするコンテンツ再生装置。
【請求項５】
前記制御手段は、他のコンテンツソースが選択されたことによって前記コンテンツサーバの動画像コンテンツの再生がポーズ状態となされた後に、コンテンツサーバが再び選択されたとき、前記リスト表示はポーズ状態となされている動画像コンテンツを選択した状態で表示され、選択を確定する操作がなされると前記ポーズ状態を解除して前記動画像コンテンツの再生を再開する、ことを特徴とする請求項３又は４に記載のコンテンツ再生装置。
【発明の詳細な説明】
【技術分野】
【０００１】
本発明は、コンテンツ再生装置に関する。
【背景技術】
【０００２】
動画像や音楽などのコンテンツを再生するコンテンツ再生装置には、ＤＶＤ（ディジタルバーサタイルディスク）ユニットやビデオユニット等の複数のコンテンツソースが搭載又は接続されたものがある。また、コンテンツ再生装置には、コンテンツサーバとして機能するパーソナルコンピュータをネットワークを介して接続できるものがある。
【０００３】
そして、このコンテンツ再生装置によると、コンテンツ再生装置のユーザの選択に応じて、前記コンテンツサーバであるパーソナルコンピュータに記憶される動画像や音楽などのコンテンツを再生し、コンテンツ再生装置のテレビモニタ等により視聴することができる。
【０００４】
ここで、動画像等のコンテンツを再生する技術について、画像再生装置により記録媒体に記録した動画像の再生に関して、一旦再生を停止した後に再生を再度行う場合に、ユーザによる再生を開始する位置の指定を可能にした技術が開示されている（例えば、特許文献１参照）。
【特許文献１】特開２０００−１０１９１１号公報
【発明の開示】
【発明が解決しようとする課題】
【０００５】
ここで、ネットワークを介して接続されたパーソナルコンピュータの動画像等を再生して視聴している状態で、ユーザがＤＶＤ等の他のコンテンツソースに切り換え、その後再度パーソナルコンピュータの動画像等を視聴するべく、パーソナルコンピュータの再生に切り換えると、再生される動画像等は先に視聴していた場面より進んでおり、ユーザが見たい動画像等の場面を見ることができないという問題があった。
【０００６】
また、パーソナルコンピュータによるコンテンツを再生していた状態で、他のコンテンツソースによる再生に切り換え、その後パーソナルコンピュータの再生に再度切り換える場合、再生を行うコンテンツをユーザの嗜好に応じて選択できることが望まれる。
【０００７】
前記特許文献１に開示された技術によると、再生を停止した後に再生を再度行う場合に、再生を停止した位置から再生を行うことができるが、ユーザの好みに応じて他の動画像ファイル等を再生することはできない。
【０００８】
そこで、本発明は、ネットワークを介してコンテンツサーバ（パーソナルコンピュータ）が接続されたコンテンツ再生装置によりコンテンツサーバを再生している状態で他のコンテンツソースに切り換えられ、その後再びコンテンツサーバが選択された場合に、ユーザにより選択されたコンテンツを再生するコンテンツ再生装置を提供することを目的とする。
【課題を解決するための手段】
【０００９】
上記課題を解決するため、本発明の第１の観点に係るコンテンツ再生装置は、ネットワークを介して接続されたコンテンツサーバのコンテンツの再生を行い、
コンテンツソースを前記コンテンツサーバと他のコンテンツソース間で選択する操作入力を行うための操作手段と、
前記コンテンツサーバ又は他のコンテンツソースのコンテンツが再生されて出力されるモニタ出力手段と、
前記モニタ出力手段にコンテンツを出力するためのコンテンツデータの入力を前記コンテンツサーバと前記他のコンテンツソースとで切り換える入力切り換え手段と、
前記操作手段による操作入力に基づき、前記入力切り換え手段による切り換えを制御し、前記コンテンツサーバ又は他のコンテンツソースによるコンテンツの再生を制御する制御手段と、
前記コンテンツサーバ内の再生可能なコンテンツの一覧の表示であるリスト表示を前記モニタ出力手段に出力するリスト表示手段と、を備え、
前記制御手段は、前記コンテンツサーバのコンテンツの再生が行われている状態で他のコンテンツソースを選択する操作入力を検出すると、再生していたコンテンツの種類に応じた方式によりコンテンツサーバの再生を停止させるとともに、後に前記コンテンツサーバの再生に切り換えた場合に再生を行うコンテンツを選択するためのリスト表示を前記モニタ出力手段に出力させることを特徴としている。
【００１０】
また、前記コンテンツサーバが再生するコンテンツが音楽であり、前記制御手段は、前記コンテンツサーバにより音楽が再生されている状態で他のコンテンツソースを選択する操作入力を検出すると、前記コンテンツサーバによる音楽の再生を停止させるとともに、前記リスト表示として再生可能な音楽ファイルの一覧を出力することができる。
【００１１】
また、前記コンテンツサーバが再生するコンテンツを動画像とし、前記制御手段が、前記コンテンツサーバにより動画像が再生されている状態で他のコンテンツソースを選択する操作入力を検出すると、前記コンテンツサーバによる動画像の再生をポーズ状態とするとともに、前記リスト表示として再生可能な動画像ファイルの一覧を出力するようにすることができる。
【００１２】
また、本発明の第２の観点に係るコンテンツ再生装置は、ネットワークを介して接続されたコンテンツサーバの動画像コンテンツの再生を行い、
コンテンツソースを前記コンテンツサーバと他のコンテンツソース間で選択する操作入力を入力するための操作手段と、
前記コンテンツサーバ又は他のコンテンツソースのコンテンツが再生されて出力されるモニタ出力手段と、
前記モニタ出力手段にコンテンツを出力するためのコンテンツデータの入力を前記コンテンツサーバと前記他のコンテンツソースとで切り換える入力切り換え手段と、
前記操作手段による操作入力に基づき、前記入力切り換え手段による切り換えを制御し、前記コンテンツサーバ又は他のコンテンツソースによるコンテンツの再生を制御する制御手段と、
前記コンテンツサーバによる再生可能なコンテンツの一覧の表示であるリスト表示を前記モニタ出力手段に出力するリスト表示手段と、を備え、
前記制御手段は、前記コンテンツサーバの動画像コンテンツの再生が行われている状態で他のコンテンツソースを選択する操作入力を検出すると、コンテンツサーバによる動画像の再生をポーズ状態とするとともに、後に前記コンテンツサーバが選択された場合に前記リスト表示を前記モニタ出力手段に出力することを特徴としている。
【００１３】
そして、前記制御手段が、他のコンテンツソースが選択されたことによって前記コンテンツサーバの動画像コンテンツの再生がポーズ状態となされた後に、コンテンツサーバが再び選択されたとき、前記リスト表示はポーズ状態となされている動画像コンテンツを選択した状態で表示され、選択を確定する操作がなされると前記ポーズ状態を解除して前記動画像コンテンツの再生を再開する、ようにすることができる。
【発明の効果】
【００１４】
本発明のコンテンツ再生装置によると、ネットワークを介してコンテンツサーバ（パーソナルコンピュータ）の再生を行うにあたり、コンテンツサーバの再生を行っている状態で、ユーザの操作により他のコンテンツソースに切り換えられ、その後再びコンテンツサーバが選択された場合に、この再生を行うコンテンツをユーザが選択することができる。
【発明を実施するための最良の形態】
【００１５】
本発明の実施の形態について、図１乃至図４を参照しつつ説明する。図１は、本発明の一実施形態であるコンテンツ再生装置２５の構成の概略を表すブロック図である。
【００１６】
以下に説明するコンテンツ再生装置２５によると、コンテンツ再生装置２５に設けられるコンテンツソースとしてのＤＶＤ（ディジタルバーサタイルディスク）ユニット及びＶＩＤＥＯ（ビデオ）ユニットによりコンテンツを再生することができ、外部のディジタルコンテンツソースとしてのコンテンツサーバ（パーソナルコンピュータ）及びメモリカードによりコンテンツを再生することができる。
【００１７】
図１に示されるように、コンテンツ再生装置２５は、システムマイコン１１、クライアント制御部１２、オーディオ用セレクタＩＣ３０、ディジタルインターフェースレシーバ（ＤＩＲ）１３、オーディオディジタルシグナルプロセッサ（オーディオＤＳＰ）１４、表示制御マイコン１５、表示部１６、アンプ部１７、及びスピーカ１８を備えている。このコンテンツ再生装置２５の例では、アンプ部１７を備え、ＡＶアンプを内蔵している。
【００１８】
システムマイコン１１は、コンテンツ再生装置２５の全体の動作を制御する。システムマイコン１１は、ＣＰＵ（中央処理装置）、ＲＯＭ（読み出し専用メモリ）、ＲＡＭ（読み書き可能メモリ）を備えている。システムマイコン１１がコンテンツ再生装置２５を制御するための制御プログラムはＲＯＭに格納されている。
【００１９】
クライアント制御部１２は、パーソナルコンピュータ２６又はメモリカード２７より出力されたディジタルのコンテンツデータを受信する。クライアント制御部１２は、ディジタルシグナルプロセッサ（ＤＳＰ）により構成されている。クライアント制御部１２には、このコンテンツ再生装置２５のユーザによる選択に応じて、パーソナルコンピュータ２６又はメモリカード２７のいずれかより出力されたディジタルデータが入力される。クライアント制御部１２は、入力されたビットストリームからなるコンテンツデータをＰＣＭデータにデコードする。
【００２０】
また、クライアント制御部１２のＲＡＭには、コンテンツソースの動作に関する各種のデータを記憶するためのコンテンツソース管理テーブルが形成されている。また、コンテンツソース管理テーブルには、コンテンツサーバ管理領域が形成されている。このコンテンツサーバ管理テーブルには、パソコン２６によるコンテンツの再生に伴う各種のデータが記憶される。
【００２１】
クライアント制御部１２において得られたＰＣＭデータは、クライアント制御部１２よりオーディオ用セレクタＩＣ３０を通ってＤＩＲ１３に入力される。オーディオ用セレクタＩＣ３０は、コンテンツの再生を行うコンテンツソースを、ユーザの選択に応じてＤＶＤユニット、ＶＩＤＥＯユニット、パーソナルコンピュータ２６、メモリカード２７間で切り換えるためのものである。
【００２２】
オーディオ用セレクタＩＣ３０には、パーソナルコンピュータ２６又はメモリカード２７から出力されたディジタルコンテンツデータ、ＤＶＤユニット、ＶＩＤＥＯユニットから出力されたコンテンツデータが入力される。
【００２３】
オーディオ用セレクタＩＣ３０には、インプットセレクタが設けられている。インプットセレクタは、ユーザによるコンテンツソース選択の操作に基づくキー入力に応じて、再生を行うコンテンツソースを切り換える入力用のセレクタである。インプットセレクタは、ＤＶＤユニット、ＶＩＤＥＯユニット、パーソナルコンピュータ２６、メモリカード２７の各々に対応させて設けられている。
【００２４】
そして、対応するインプットセレクタがコンテンツのデータの入力可能な状態に切り換えられているコンテンツソースについて、そのコンテンツデータをオーディオ用セレクタＩＣ３０に入力することができる。
【００２５】
インプットセレクタは、複数のコンテンツソース間でコンテンツデータを入力するコンテンツソースを切り換えるための入力切り換え手段にあたる。
【００２６】
ＤＩＲ１３は、入力されたコンテンツデータをオーディオＤＳＰ１４が処理可能な信号に変換し、変換した信号をオーディオＤＳＰ１４に出力する。オーディオＤＳＰ１４は、ＤＩＲ１３より入力されたコンテンツデータに対して高域補完処理やサラウンド処理などのディジタル信号処理を行い、処理したデータをアンプ部１７に出力する。
【００２７】
アンプ部１７は、入力されたデータをＤ／Ａ変換によりアナログ信号に変換するとともに、このアナログ信号をアナログ増幅する。アンプ部１７は、図示されないＤ／Ａコンバータ及びアナログ増幅器を備えている。
【００２８】
アンプ部１７において得られた音声信号は、アンプ部１７よりスピーカ１８に出力される。スピーカ１８は、入力された音声信号に基づく音声を出力する。スピーカ１８は、再生されたコンテンツの音声を出力するためのモニタ出力手段にあたる。
【００２９】
コンテンツ再生装置２５は、図示しない操作キーを備える操作部を有する。コンテンツ再生装置２５を使用するユーザが操作キーを操作することにより、コンテンツ再生装置２５を動作させる条件情報が入力される。
【００３０】
操作キーが操作されると、操作内容を表す信号がキー制御部１９よりシステムマイコン１１に入力される。システムマイコン１１は、キー制御部１９より入力された操作検出信号により、操作の内容を検出する。
【００３１】
システムマイコン１１は、キー制御部１９より入力された操作検出信号に基づき、パーソナルコンピュータ（ＰＣ（以下、パソコンという））２６、メモリカード２７、ＤＶＤユニット、ＶＩＤＥＯユニットのいずれのコンテンツソースを選択する入力が行われたかを検出する。
【００３２】
そして、ユーザが再生を行うコンテンツソースを選択するための操作キーを操作し、パソコン２６、メモリカード２７、ＤＶＤユニット及びＶＩＤＥＯユニットより特定のコンテンツソースを選択するための操作入力を入力すると、選択されたコンテンツソースを表すキー入力がシステムマイコン１１に入力される。
【００３３】
ここで、パソコン２６によるコンテンツの再生を行っている最中に、ユーザが再生を行うコンテンツソースを切り換える操作を行うと、システムマイコン１１は以下の処理を行う。
【００３４】
システムマイコン１１は、再生を行うコンテンツソースを切り換えるキー入力を検出すると、インプットセレクタのパラメータを、キー入力に応じて切り換える。インプットセレクタは、パラメータの切り換えに基づき切り換えが制御される。
【００３５】
インプットセレクタのパラメータとして、キー入力の各々に対応させたパラメータが用意されており、キー入力は各々がコンテンツソースの各々と対応している。そして、システムマイコン１１は、キー入力を検出すると、検出したキー入力に対応するパラメータに切り換える。
【００３６】
次に、システムマイコン１１は、切り換えられたパラメータがパソコン２６に対応するパラメータか否か判別した後に、インプットセレクタを切り換える処理を行う。
【００３７】
インプットセレクタのパラメータが、パソコン２６に対応するパラメータである場合、インプットセレクタを切り換える処理を行わず、インプットセレクタはパソコン２６を選択若しくは現在の再生を継続する状態を取る。
【００３８】
一方、インプットセレクタのパラメータがパソコン２６に対応するパラメータでない場合、システムマイコン１１は、再生しているパソコン２６のコンテンツの種類に応じた方式により再生を停止させる。
【００３９】
システムマイコン１１は、再生しているコンテンツが動画像（例えば映画）である場合、ポーズ（ＰＡＵＳＥ）処理を行う。このポーズ処理は、パソコン２６の動画像の再生を一時停止させ、この停止させた動画像の位置を記憶する処理である。このポーズ処理により、後にパソコン２６による動画像の再生に再度切り換えた場合に、先に再生を停止した位置から再生することもできる。
【００４０】
このポーズ処理において再生を一時停止した動画像の位置のデータは、クライアント制御部１２のＲＡＭに展開されるコンテンツサーバ管理テーブルに記憶される。また、ポーズ処理により再生を停止した動画像の位置のデータは、ネットワークを介してパソコン２６に送信され、パソコン２６のハードディスクに展開されるコンテンツ管理テーブルに記憶される。
【００４１】
尚、このポーズ処理は上述の制御に限られない。例えば、クライアント制御部１２がパソコン２６に一時停止指令を出力し、一時停止指令を受信したパソコン２６は再生位置を記憶して再生を停止するようにしてもよい。この場合、パソコン２６は、再生再開の指示を受け付けると自機内で記憶した再生位置に基づいて再生を再開する。
【００４２】
そして、システムマイコン１１は、ポーズ処理に続き、モニタ画面にリスト表示を出力させる処理を行う。このリスト表示は、後に再度パソコン２６の再生に切り換える場合に、再生を行うコンテンツを選択するための一覧表示である。
【００４３】
また、システムマイコン１１は、再生しているコンテンツが音楽である場合、ストップ（ＳＴＯＰ）処理を行う。このストップ処理は、パソコン２６の音楽の再生を中止する処理である。このストップ処理により、後にパソコン２６による音楽の再生に切り換えた場合に、再生を行っていた音楽ファイルの先頭部分より再生することもできる。
【００４４】
このストップ処理において再生を中止した音楽ファイルのデータは、クライアント制御部１２のＲＡＭに展開されるコンテンツサーバ管理テーブルに記憶される。また、ストップ処理により再生を中止した音楽ファイルのデータは、ネットワークを介してパソコン２６に送信され、パソコン２６のハードディスクに展開されるコンテンツ管理テーブルに記憶される。
【００４５】
そして、システムマイコン１１は、ストップ処理に続き、モニタ画面にリスト表示を出力させる処理を行う。このリスト表示は、後に再度パソコン２６の再生に切り換える場合に、再生を行うコンテンツを選択するための一覧表示である。
【００４６】
そして、システムマイコン１１は、以上のポーズ処理又はストップ処理を行うと、先に切り換えたパラメータに対応するインプットセレクタに切り換える処理を行う。
【００４７】
また、図１に示されるように、コンテンツ再生装置２５には、外部のディジタルコンテンツソースとしてパソコン２６及びメモリカード２７が接続されるようにされており、パソコン２６に記憶されるコンテンツ及びメモリカード２７に記憶されるコンテンツを再生することができる。
【００４８】
パソコン２６及びメモリカード２７は、各々が動画像や音声からなるコンテンツを記憶しており、コンテンツの内容を表すコンテンツデータをディジタルデータで出力する。
【００４９】
パソコン２６は、コンテンツサーバとして機能する。パソコン２６は、記憶媒体としてハードディスクを備えており、ハードディスクに動画像（例えば映画）や音楽等のコンテンツを記憶している。ハードディスク内では、コンテンツをファイル単位で記憶している。例えば、一つの映画を一つの動画像ファイルで記憶しており、一つの音楽の曲を一つの音楽ファイルで記憶している。
【００５０】
その他、パソコン２６に記憶させ得るコンテンツの例として、静止画がある。パソコン２６が静止画を記憶するにあたり、１枚の静止画像を一つの静止画ファイルとして記憶し、又複数の静止画ファイルを一つの静止画グループとして記憶している。
【００５１】
静止画の再生方法としては、１枚の静止画ファイルを再生する場合や、静止画グループをスライドショー表示する場合などが考えられる。スライドショー表示とは、所定の時間毎に表示する静止画像（静止画ファイル）を切り換えて表示する再生方法である。
【００５２】
また、パソコン２６は、ハードディスクにコンテンツ管理テーブルを記憶している。コンテンツ管理テーブルは、コンテンツのファイルのディレクトリ情報を記憶している。
【００５３】
コンテンツ管理テーブルは動画像や音楽等のコンテンツの種類毎にファイル名を記憶しており、各種のコンテンツが種類毎にコンテンツ管理テーブル上に管理されている。
【００５４】
また、コンテンツ管理テーブルは、動画像や音楽のジャンルも記憶しており、各々の動画像ファイルや音楽ファイルに各々ジャンルを対応付けて記憶している。このコンテンツ管理テーブルのデータは、パソコン２６を再生する場合には、クライアント制御部１２に送信され、クライアント制御部１２のＲＡＭに記憶される。
【００５５】
パソコン２６は、イーサネット（登録商標）（Ethernet（登録商標））規格のネットワークを介してコンテンツ再生装置２５と接続される。パソコン２６は、ルータを介してネットワークに接続されている。クライアント制御部１２におけるパソコン２６のデータ入力用のポートは、ＬＡＮコントローラ及びイーサネット（登録商標）ボードを介してネットワークに接続されている。
【００５６】
メモリカード２７は、コンテンツ再生装置２５の専用スロット２８に装填される。メモリカード２７より出力されたデータは、クライアント制御部１２におけるメモリカード２７のデータ入力用のポートに入力される。
【００５７】
表示部１６には、コンテンツ再生装置２５の現在の動作の状態に関する情報が表示される。表示部１６には、現在再生されているソースの種類、現在再生されているコンテンツの種類、現在の再生状態、再生しているファイル名等が表示される。
【００５８】
また、表示部１６には、ユーザによって選択されたコンテンツソースの種類が表示される。この表示部１６におけるコンテンツソースの表示は、システムマイコン１１がコンテンツソース選択のためのキー入力を検出することによって行われ、このキー入力の検出に基づきシステムマイコン１１がインプットセレクタを切り換える処理を実行する前に行われる。
【００５９】
表示部１６に前記各種の表示を行うにあたり、以下の制御が実行される。クライアント制御部１２のＲＡＭには、コンテンツ再生装置２５の現在の状態に関するデータを記憶するデータテーブルが展開されている。
【００６０】
クライアント制御部１２が保持するデータテーブルに基づいて、システムマイコン１１は、表示部１６に表示するための所要のデータを表示制御マイコン１５に出力する。この表示制御マイコン１５は、表示部１６を制御するための専用のマイコンである。
【００６１】
表示制御マイコン１５は、ＣＰＵ、ＲＯＭ及びＲＡＭを備え、表示部１６を制御するための動作を行う。表示制御マイコン１５は、システムマイコン１１より表示部１６に表示するべき内容のデータが入力されると、このデータに基づく表示を行うよう表示部１６を制御する。
【００６２】
なお、コンテンツ再生装置２５には、動画像を出力するためのモニタ画面３５が設けられている。モニタ画面３５は再生されたコンテンツの動画像を出力するためのモニタ出力手段にあたる。モニタ画面３５は、コンテンツ再生装置２５の筐体に設けられたモニタ出力端子を介して、コンテンツ再生装置２５内のビデオ用セレクタＩＣ３８の出力に接続されている。
【００６３】
他方、ビデオ用セレクタＩＣ３８には、クライアント制御部１２、ＤＶＤユニット、ＶＩＤＥＯユニットから供給される映像信号が入力されている。クライアント制御部１２から入力される映像信号は、パソコン２６、又はメモリカード２７からディジタルデータの中に符号化された形で組み込まれて供給されており、クライアント制御部１２でのデコード処理、Ｄ／Ａ変換を経てアナログ信号でビデオ用セレクタＩＣ３８に入力される。
【００６４】
また、ＤＶＤユニット、ＶＩＤＥＯユニットからはアナログ信号がコンテンツ再生装置２５に供給されてビデオ用セレクタＩＣ３８に入力される。ビデオ用セレクタＩＣ３８は、システムマイコン１１の認識しているインプットセレクタ選択状態に基づいて、パソコン２６、ＤＶＤユニット、ＶＩＤＥＯユニットから供給される映像信号を選択的に切り換えてモニタ画面に出力する。
【００６５】
次に、コンテンツ再生装置２５の動作の一例について、図２により説明する。以下の説明では、コンテンツ再生装置２５によりネットワークを介してパソコン２６の再生を行い、再生の最中にユーザによりコンテンツソースを切り換える操作が行われた場合について説明する。
【００６６】
コンテンツ再生装置２５によりパソコン２６のコンテンツの再生を行う。図２に示すように、システムマイコン１１は、インプットセレクタ切り換え処理を実行できる状態となると（開始）、インプットセレクタに対するキー入力を検出するまで待機する（ステップＳ１１、ＮＯ）。
【００６７】
インプットセレクタに対するキー入力を検出すると（ステップＳ１１、ＹＥＳ）、インプットセレクタのパラメータを切り換える（ステップＳ１２）。次に、システムマイコン１１は、切り換えられたパラメータがネットワーク（パソコン２６）以外のコンテンツソースに対応しているか否か判別する（ステップＳ１３）。
【００６８】
そして、パラメータがネットワーク以外のコンテンツソースに対応するものである場合（ステップＳ１３、ＹＥＳ）、パソコン２６において選択されていたコンテンツが動画像（ＭＯＶＩＥ（映画））か否か判別する（ステップＳ１４）。
【００６９】
パソコン２６において選択されていたコンテンツが動画像である場合（ステップＳ１４、ＹＥＳ）、なお再生中（ＰＬＡＹ中）か否か判別し（ステップＳ１５）、再生中である場合（ステップＳ１５、ＹＥＳ）、ポーズ（ＰＡＵＳＥ）処理を行うとともに、リスト表示に戻す（ステップＳ１６）。
【００７０】
また、パソコン２６において選択されたコンテンツが動画像でない場合（ステップＳ１４、ＮＯ）、選択されたコンテンツが音楽（ＭＵＳＩＣ）か否か判別する（ステップＳ１７）。そして、選択されたコンテンツが音楽である場合（ステップＳ１７、ＹＥＳ）、なお再生中（ＰＬＡＹ中）か否か判別し（ステップＳ１８）、再生中である場合（ステップＳ１８、ＹＥＳ）、ストップ（ＳＴＯＰ）処理を行うとともに、リスト表示に戻す（ステップＳ１９）。
【００７１】
また、パソコン２６において選択されたコンテンツが音楽でない場合（ステップＳ１７、ＮＯ）、静止画のスライドショー中か否か判別し（ステップＳ２０）、スライドショー中である場合（ステップＳ２０、ＹＥＳ）、ステップＳ１９に移行する。
【００７２】
以上の手順において、パラメータがネットワーク以外のコンテンツソースに対応するパラメータであることを判別したら（ステップＳ１３、ＹＥＳ）、ＭＯＶＩＥ再生中であればポーズ処理を行い（ステップＳ１６）、ＭＵＳＩＣ若しくは静止画のスライドショー再生中であればストップ処理（ステップＳ１９）を行った後に、インプットセレクタを切り換える処理を行う（ステップＳ２１）。これにより、インプットセレクタが切り換わり、ステップＳ１１においてキー入力により入力されたコンテンツソースによる再生に切り換わる。
【００７３】
以上の手順では、インプットセレクタのキー入力を検出した直ぐ後にインプットセレクタのパラメータを切り換えたが（ステップＳ１１、ステップＳ１２）、このパラメータの切り換えをインプットセレクタの切り換え処理（ステップＳ２１）を行う直前に行ってもよい。
【００７４】
次に、以上のステップＳ１７、ステップＳ２０において、パソコン２６からクライアント制御部１２を介してビデオ用セレクタＩＣに入力されモニタ画面３５に表示されるリスト表示の例について、図３により説明する。
【００７５】
図３に示されるモニタ画面の表示例は、現在選択されているコンテンツソース（ＭＯＶＩＥ、ＶＩＤＥＯ、静止画のいずれか）のリストが表示されることを示している。図３（ａ）はステップＳ１６で出力するリスト表示の一例である。また、図３（ｂ）はステップＳ１９で出力するリスト表示の一例である。
【００７６】
図３（ａ）は再生可能な動画像ファイルの一覧をモニタ画面３５に出力した例である。図３（ａ）に示すように、モニタ画面３５には複数の映画ファイルのファイル名が表示されている。
【００７７】
また、図３（ａ）に示すように、モニタ画面３５における映画ファイルのファイル名が表示される領域の左隣の領域には映画ファイルのジャンル名が表示されており、映画ファイルとそのジャンル名とを対応させて表示している。
【００７８】
ユーザは、モニタ画面３５に表示された映画ファイルのリストより特定の映画ファイルを選択することができる。このファイルの選択は、再生するコンテンツを選択するためのキー操作によってモニタ画面３５上でカーソル３１を移動させて行うことができ、カーソル３１により指し示された映画ファイルを再生することができる。この図３（ａ）の例では、映画ファイル３が選択される。
【００７９】
また、図３（ａ）に示されるように、モニタ画面３５には、最終ファイル指示インディケータ３２が表示されている。最終ファイル指示インディケータ３２は、前記図２のステップＳ１１でキー入力を検出した際に、パソコン２６において再生中であった動画像ファイルを指し示している。この図３（ａ）の例では、最終ファイル指示インディケータ３２は、映画ファイル３を指し示している。
【００８０】
図２に基づき説明したように、パソコン２６を再生している状態からユーザの操作に基づき再生を行うコンテンツソースが切り換えられ、その後パソコン２６による再生を再度行う場合に、前記リスト表示により選択され、確定された動画像ファイル（映画ファイル）を再生することができる。
【００８１】
そして、前記リスト表示により選択されて確定された動画像ファイル（映画ファイル）が最終ファイル指示インディケータにより示された動画像である場合、ポーズ（ＰＡＵＳＥ）処理により再生を一時停止させた位置より再生が開始される。
【００８２】
尚、パソコン２６の動画像ファイルが再生中であった状態で他のコンテンツソースに切り換えられ、再生中の動画像ファイルをポーズ状態とした後にリスト表示を行う場合（リスト表示は実質的には再びコンテンツサーバがコンテンツソースとして選択されたときに表示される）、現在ポーズ中である動画像ファイルが選択された状態で表示される。
【００８３】
図３（ａ）においては、カーソル３１が映画ファイル３を選択した状態として表示される。そして、確定ボタン（例えばリモコンキーに設けられた「ＰＬＡＹ」ボタン）が押下されると、当該選択された動画像ファイル（映画ファイル３）が、ポーズ位置から再生が再開される。尚、上述のコンテンツの選択状態は、カーソル３１による指示には限定されない。例えば、「映画ファイル３」と表示している欄を反転表示するなど、他の映画ファイルと識別可能なように表示されていればよい。
【００８４】
次に、図３（ｂ）について説明する。図３（ｂ）は再生可能な音楽ファイルの一覧をモニタ画面３５に出力した例である。図３（ｂ）に示すように、モニタ画面３５には複数の音楽ファイルのファイル名が表示されている。
【００８５】
また、図３（ｂ）に示すように、モニタ画面３５における音楽ファイルのファイル名が表示される領域の左隣の領域には音楽ファイルのジャンル名が表示されており、音楽ファイルとそのジャンル名とを対応させて表示している。
【００８６】
ユーザは、モニタ画面３５に表示された音楽ファイルのリストより特定の音楽ファイルを選択することができる。このファイルの選択は、再生するコンテンツを選択するためのキー操作によってモニタ画面３５上でカーソル３１を移動させて行うことができ、カーソル３１により指し示された音楽ファイルを再生することができる。この図３（ｂ）の例では、音楽ファイル３が選択されている。
【００８７】
また、図３（ｂ）に示されるように、モニタ画面３５には、最終ファイル指示インディケータ３２が表示されている。最終ファイル指示インディケータ３２は、前記図２のステップＳ１１でキー入力を検出した際に、パソコン２６において再生の対象として選択されている音楽ファイルを指し示している。この図３（ｂ）の例では、最終ファイル指示インディケータ３２は、音楽ファイル２を指し示している。
【００８８】
図２に基づき説明したように、パソコン２６を再生している状態からユーザによる切り換え操作に基づき再生するコンテンツソースが切り換えられ、その後パソコン２６による再生を再度行う場合に、前記リスト表示により選択された音楽ファイルを再生することができる。
【００８９】
そして、前記リスト表示により選択された音楽ファイルが最終ファイル指示インディケータ３２により示された音楽ファイルである場合、ストップ（ＳＴＯＰ）処理により再生を中止した音楽ファイルの先頭部分より再生される。
【００９０】
尚、パソコン２６の音楽ファイルが再生中であった状態で他のコンテンツソースに切り換えられ、再生中の音楽ファイルを停止状態とした後にリスト表示を行う場合（リスト表示は実質的には再びコンテンツサーバがコンテンツソースとして選択されたときに表示される）、コンテンツソース切り換え時に再生中であった音楽ファイルが選択された状態で表示される。図３（ｂ）においては、カーソル３１が音楽ファイル２を選択した状態として表示される。
【００９１】
そして、確定ボタン（例えばリモコンキーに設けられた「ＰＬＡＹ」ボタン）が押下されると、当該選択された音楽ファイルが、先頭部分から再生される。尚、上述のコンテンツの選択状態は、カーソル３１による指示には限定されない。例えば、「音楽ファイル２」と表示している欄を反転表示するなど、他の音楽ファイルと識別可能なように表示されていればよい。
【００９２】
次に、リスト表示の他の例について、図４により説明する。図４は、前記ステップＳ１７又はステップＳ２０においてモニタ画面３５に表示するリスト表示の他の一例である。
【００９３】
図４（ａ）はステップＳ１７又はステップＳ２０においてモニタ画面３５に最初に表示される一覧表示を示している。図４（ａ）に示されるように、モニタ画面３５には再生可能なコンテンツの種類の一覧が表示される。図４（ａ）に示される例では、再生可能なコンテンツとして、映画と音楽と静止画が表示されている。
【００９４】
そして、再生を行うコンテンツの選択は、カーソル３１をモニタ画面３５上で移動させて行うことができ、カーソル３１により指し示されたコンテンツを再生することができる。図４（ａ）に示される例では、カーソル３１は映画を指し示しており、映画を選択することができる。
【００９５】
尚、パソコン２６の動画像ファイル（映画ファイル）が再生中であった状態で他のコンテンツソースに切り換えられ、再生中の動画像ファイルをポーズ状態とした後に図４（ａ）に示すようなリスト表示を行う場合（リスト表示は実質的には再びコンテンツサーバがコンテンツソースとして選択されたときに表示される）、コンテンツの種類は映画が選択された状態で表示される。
【００９６】
図４（ａ）においては、カーソル３１が映画を選択した状態として表示される。そして、確定ボタン（例えばリモコンキーに設けられた「ＰＬＡＹ」ボタン）が押下されると、更に再生可能な動画像ファイル（映画ファイル）のリストが表示され、このときポーズ中の動画像ファイル（映画ファイル）が選択された状態で表示される（図３（ａ）参照）。
【００９７】
以後は図３（ａ）においてした説明と同様の動作を行うこととなる。また、コンテンツソースが切り換えられたとき再生中であったのが音楽ファイルである場合には、再びコンテンツサーバがコンテンツソースとして選択されたときに表示する図４（ａ）に示すリストでは、「音楽」が選択された状態で表示される。
【００９８】
そして、確定ボタン（例えばリモコンキーに設けられた「ＰＬＡＹ」ボタン）が押下されると、更に再生可能な音楽ファイルのリストが表示され、このとき再生が中断され停止された音楽ファイルが選択された状態で表示される（図３（ｂ）参照）。以後は図３（ｂ）においてした説明と同様の動作を行うこととなる。尚、上述のコンテンツ種類の選択状態は、カーソル３１による指示には限定されない。例えば、「映画」と表示している欄を反転表示するなど、他のコンテンツの種類と識別可能なように表示されていればよい。
【００９９】
図４（ｂ）は、図４（ａ）に示した一覧表示より選択したコンテンツについて、さらに再生可能な映画ファイルの一覧をモニタ画面３５に表示した別の例である。図４（ｂ）に示されるように、再生可能な複数の映画ファイルのファイル名がモニタ画面３５に表示されている。
【０１００】
そして、モニタ画面３５に表示される映画ファイルの一覧より選択した映画ファイルを再生することができる。映画ファイルの選択は、図４（ｂ）に示す例では、映画ファイル名を表示する領域の表示色をモニタ画面３５の背景に対して反転させ、選択を確定する操作を入力することにより行うことができる。図４（ｂ）に示される例では、映画ファイル３を表示する領域の表示色が反転している。再生が中断された映画ファイルについて選択された状態でリスト表示を行うようにすることは、上記で説明した通りである。
【０１０１】
以上に説明したコンテンツ再生装置２５によると、ネットワークを介して接続されるコンテンツサーバ２６により動画像ファイルの再生を行っている最中に、再生を行うコンテンツソースを切り換える操作がユーザにより行われると、システムマイコン１１がポーズ処理を行う。このポーズ処理により、動画像の再生が一時停止されるとともに、再生を停止した動画像の位置が記憶される。
【０１０２】
そして、ポーズ処理に続いてモニタ画面３５にリスト表示が行われ、このリスト表示に基づき後にコンテンツサーバ２６により再生を行うコンテンツを選択することができる。
【０１０３】
そして、ユーザが再生を行うコンテンツソースを再度コンテンツサーバ２６に切り換える操作を行うと、前記リスト表示に基づき選択したコンテンツを再生することができる。
【０１０４】
そして、前記リスト表示に基づき選択したコンテンツが、先にコンテンツサーバによる再生を一時停止させた動画像である場合、この再生を停止させた位置より動画像の再生を開始することができる。これにより、ユーザは先に再生を停止した動画像の位置に続く動画像を直ちに視聴することができる。
【０１０５】
また、リスト表示を行う際には、再生がポーズ状態にある動画像コンテンツ（映画ファイル）を選択した状態で表示する。従って、ユーザは確定ボタン（例えば「ＰＬＡＹ」ボタン）を押下するのみで、中断された再生位置から再び視聴を楽しむことができる。上述の通り、コンテンツサーバがコンテンツソースとして再び選択されたとき、リスト表示を行うようにしたので、ポーズ状態とされている動画像ファイルが静止画状態で表示されないので、ユーザに違和感を与えない。仮に、ポーズ状態とされている動画像ファイルを静止画状態で表示してしまうと、ユーザは故障しているものと勘違いしてしまうなど、問題が発生することが想定される。
【０１０６】
また、リスト表示を行う場合に、ポーズ中である動画像ファイル（映画ファイル）を選択した状態で表示するので、ユーザは確定ボタンを押すだけで中断したコンテンツの再生を再開することができる。
【０１０７】
音楽ファイル若しくは静止画スライドショーが中断された場合には、ポーズ状態とされずに停止されるが、それ以外は上述と同様の効果が得られ、コンテンツサーバがコンテンツソースとして再び選択されたとき、再生が中断された音楽ファイル若しくは静止画スライドショーを選択した状態で表示するので、ユーザは確定ボタンを押すだけで中断したコンテンツの再生を先頭位置から再開することができる。
【０１０８】
即ち、ユーザは、先に再生していた動画像コンテンツ（映画ファイル）の続きを後の再生において視聴するにあたり、コンテンツサーバ２６を一から立ち上げ直し、先に再生を停止した位置を探索して再生を行う必要がない。これにより、ユーザは、先に再生を停止した動画像に続く動画像を、後の再生において待つことなく直ちに視聴することができる。
【０１０９】
また、以上に説明したコンテンツ再生装置２５によると、ネットワークを介して接続されるコンテンツサーバ２６により音楽ファイルの再生を行っている最中に、再生を行うコンテンツソースを切り換える操作がユーザにより行われると、システムマイコン１１がストップ処理を行う。このストップ処理により、音楽の再生が中止されるとともに、再生を中止した音楽ファイルが記憶される。
【０１１０】
そして、ストップ処理に続いてモニタ画面３５にリスト表示が行われ、このリスト表示に基づき後にコンテンツサーバ２６により再生を行うコンテンツを選択することができる。
【０１１１】
そして、ユーザが再生を行うコンテンツソースを再度コンテンツサーバ２６に切り換える操作を行うと、前記リスト表示に基づき選択したコンテンツを再生することができる。そして、前記リスト表示に基づき選択したコンテンツが先にコンテンツサーバによる再生を中止した音楽ファイルである場合、この再生を中止した音楽ファイルの先頭部分より再生を開始することができる。
【図面の簡単な説明】
【０１１２】
【図１】本発明の一実施形態であるコンテンツ再生装置のブロック図である。
【図２】コンテンツ再生装置の動作の一例のフローチャートである。
【図３】再生可能なコンテンツの一覧を表示するリスト表示の一例である。
【図４】再生可能なコンテンツの一覧を表示するリスト表示の一例である。
【符号の説明】
【０１１３】
１１      システムマイコン
１２      クライアント制御部
１３      ディジタルインターフェースレシーバ
１４      オーディオディジタルシグナルプロセッサ
１５      表示制御マイコン
１６      表示部
１７      アンプ部
１８      スピーカ
１９      キー制御部
２５      コンテンツ再生装置
２６      パーソナルコンピュータ
２７      メモリカード
２８      スロット
３０      オーディオ用セレクタＩＣ
３１      カーソル
３２      最終ファイル指示インディケータ
３５      モニタ画面
３８    ビデオ用セレクタＩＣ
【図１】
2006065975.tif 000003
【図２】
2006065975.tif 000004
【図３】
2006065975.tif 000005
【図４】
2006065975.tif 000006